(57)【特許請求の範囲】
【請求項１】
非矩形状の表示領域と、
前記表示領域を囲う額縁領域と、
前記表示領域に配列された複数の絵素と、
前記絵素に設けられた複数色の有効表示領域と、を備え、
前記表示領域の前記額縁領域との境界部分に位置する複数の前記絵素は、前記表示領域と前記額縁領域のオーバーラップするレベルに応じて選択される、通常絵素と、開口率調整絵素とを含み、
前記開口率調整絵素に設けられた前記複数色の有効表示領域のそれぞれの開口率は略等しく、かつ、前記通常絵素に設けられた前記複数色の有効表示領域の開口率よりも小さく、
前記開口率調整絵素における前記複数色の有効表示領域の各色が並ぶ第１方向と垂直な第２方向における中心を通る中心線であって、前記第１方向と平行な中心線が、前記第１方向に隣接する前記通常絵素に設けられた前記有効表示領域の前記中心線の延長線上に位置するよう形成されている表示装置。
【請求項２】
前記開口率調整絵素では、前記複数色の有効表示領域のそれぞれが同じ形状に形成されている請求項１に記載の表示装置。
【請求項３】
前記開口率調整絵素では、前記複数色の有効表示領域のそれぞれが前記中心線で対称となる形状に形成されている請求項１又は２に記載の表示装置。
【請求項４】
前記複数色の有効表示領域のうち少なくともいずれかが前記中心線を越えて前記額縁領域に遮光される前記絵素は、非点灯にされている請求項１乃至３のいずれか１項に記載の表示装置。
【請求項５】
前記表示装置は、アレイ基板と対向基板との間に液晶が挟持された液晶表示装置である請求項１乃至４のいずれか１項に記載の表示装置。
【請求項６】
前記対向基板は、
基板上に形成され、開口部を有するブラックマトリクスと、
前記ブラックマトリクスの前記開口部に設けられた着色層と、を備え、
前記開口率調整絵素では、前記複数色の有効表示領域の開口率が同じとなるよう、前記ブラックマトリクスの前記開口部の大きさが調整されている請求項５に記載の表示装置。
【発明の詳細な説明】
【技術分野】
【０００１】
本発明は、表示装置に関し、特に詳しくは非矩形状の表示領域を有する表示装置に関する。
【背景技術】
【０００２】
近年、表示装置を搭載した様々なタイプの機器が広く普及している。デザイン性やユーザーの嗜好に合わせたファッション性がこれらの機器に求められるのに伴って、機器の形状はこれに合わせたものとなってきている。
【０００３】
このようなトレンドに対応して、表示装置の表示エリアにも工夫が凝らされることがある。表示エリアは矩形形状のものが一般的であるが、円形や楕円形など非矩形状にしたものが知られている。
【０００４】
表示装置では、通常、画素がマトリクス状に配置される。そのため、表示エリアが円形状や楕円形状などの表示装置では、表示エリアの境界部分に位置する画素が円弧状に遮光されることとなる。このとき、一つの絵素に含まれる各色の画素の開口率が不均等となるように遮光されるので、表示エリア端にある絵素の色バランスが崩れてしまう。これにより、表示エリア端で色づきが生じ、表示品位を低下させている。
【０００５】
上記問題を解決するための技術がいくつか開示されている。図７は、特許文献1に開示された従来技術１に係る液晶表示装置の表示エリア端部分の構成を模式的に示す上面図である。図７では、楕円形状を有する表示領域１の右上部分近傍の端部が示されている。従って、図７中、表示エリア端３を介して左下側に表示領域１、右上側に額縁領域２が示されている。従来技術１では、図７に示すように、額縁領域２に遮光される画素が属する絵素５において、各色の画素開口率が均一となるよう、カラーフィルタ基板のブラックマトリクス線幅を調整している。これにより、額縁領域２に遮光される画素を有することで各色の有効表示領域４Ｒ、４Ｇ、４Ｂの画素開口率が不均等となる絵素５内での色バランスが安定する。よって、表示エリア端３で色づきが生じることを防止することができる。
【０００６】
一方、図８は、従来技術２に係る液晶表示装置の表示エリア端部分の構成を模式的に示す上面図である。図８では、図７と同様、楕円形状を有する表示領域１の右上部分近傍の端部が示されている。従って、図８中、表示エリア端３を介して左下側に表示領域１、右上側に額縁領域２が示されている。従来技術２では、図８に示すように、額縁領域２に遮光される画素が属する絵素５の全画素を非点灯としている。これにより、額縁領域２に遮光される画素を有することで各色の有効表示領域４Ｒ、４Ｇ、４Ｂの画素開口率が不均等となる絵素５は、表示が行われなくなる。よって、表示エリア端３で色づきが生じることを防止することができる。
【特許文献１】特開２００６−２７６５８０号公報
【発明の開示】
【発明が解決しようとする課題】
【０００７】
しかしながら、有効表示領域４の面積を上下２分割する線を中心線６とすると、従来技術１では、額縁領域２に遮光されるレベルによって、図７中横方向に隣接する絵素５の中心線６の位置が異なってしまう。そのため、横方向の直線表示をした場合に、一直線とならずに表示領域１の端部で線が曲がってしまう。一方、従来技術２では、横方向に配列された絵素５の中心線６は一直線となるため、横方向の直線表示をした際に表示領域１の端部で線が曲がることはない。しかしながら、額縁領域２に遮光される画素が属する絵素５は全て非点灯絵素としているため、表示領域１の外形を滑らかな楕円形状または円形形状とすることができない。
【０００８】
本発明は、上記のような問題点を解決するためになされたものであり、円形または楕円形などの非矩形状の表示領域を有する表示装置において、表示領域の外形が滑らかで、表示品位の優れた表示装置を提供することを目的とする。
【課題を解決するための手段】
【０００９】
本発明にかかる表示装置は、非矩形状の表示領域と、前記表示領域を囲う額縁領域と、前記表示領域に配列された複数の絵素と、前記絵素に設けられた複数色の有効表示領域と、を備え、前記表示領域の前記額縁領域との境界部分に位置する複数の前記絵素は、前記表示領域と前記額縁領域のオーバーラップするレベルに応じて選択される、通常絵素と、開口率調整絵素とを含み、前記開口率調整絵素に設けられた前記複数色の有効表示領域のそれぞれの開口率は略等しく、かつ、前記通常絵素に設けられた前記複数色の有効表示領域の開口率よりも小さく、前記開口率調整絵素における前記複数色の有効表示領域の各色が並ぶ第１方向と垂直な第２方向における中心を通る中心線であって、前記第１方向と平行な中心線が、前記第１方向に隣接する前記通常絵素に設けられた前記有効表示領域の前記中心線の延長線上に位置するよう形成されているものである。
【発明の効果】
【００１０】
本発明によれば、円形または楕円形などの非矩形状の表示領域を有する表示装置において、表示領域の外形が滑らかで、表示品位の優れた表示装置を提供することができる。
【発明を実施するための最良の形態】
【００１１】
以下に、本発明の好ましい実施の形態を説明する。以下の説明は、本発明の実施の形態を説明するものであり、本発明が以下の実施形態に限定されるものではない。説明の明確化のため、以下の記載及び図面は、適宜、省略及び簡略化がなされている。また、説明の明確化のため、必要に応じて重複説明は省略されている。尚、各図において同一の符号を付されたものは同様の要素を示しており、適宜、説明が省略されている。
【００１２】
実施の形態１．
始めに、図１を用いて、本実施の形態に係る表示装置について説明する。図１は、本実施の形態に係る液晶表示装置の断面図である。本実施の形態に係る表示装置は、薄膜トランジスタ（ＴＦＴ：Thin Film Transistor）を有するアクティブマトリクス型液晶表示装置を例として説明するが、ＴＦＴ以外のスイッチング素子を用いてもよい。また、パッシブマトリクス型液晶表示装置とすることも可能である。なお、本発明は液晶表示装置に限られるものはない。すなわち、液晶や粒子や液体等の表示材料によって表示が行われる表示装置であれば、適用可能である。
【００１３】
図１において、本実施の形態に係る液晶表示装置は、アレイ基板１０と対向基板２０とが互いに対向して配置されている。そして、これら両基板を貼り合わせるシール材３４との間の空間に液晶３０を封入した構成を有する。本実施の形態に係る液晶表示装置では、円形や楕円形など非矩形状の表示領域が形成されている。シール材３４はこの表示領域を囲うように形成されている。シール材３４の形状は、表示領域の形状に沿った形状とすることができるが、例えば枠状など表示領域の形状とは別の形状でもよい。
【００１４】
アレイ基板１０は、基板１１の上に表示領域を形成する画素電極１６、走査信号線（不図示）、及び映像信号線（不図示）がそれぞれ絶縁膜１５を介して形成されている。複数の走査信号線（ゲート配線）は平行に設けられている。同様に、複数の映像信号線（ソース配線）は平行に設けられている。走査信号線と映像信号線とは、互いに交差するように形成されている。走査信号線と映像信号線とは交差している。隣接する走査信号線と映像信号線とで囲まれた領域が画素となる。従って、画素がマトリクス状に配列される。この画素の略全域に画素電極１６が形成されている。以下、走査信号線と映像信号線とによって規定される領域を画素と呼ぶこととする。
【００１５】
走査信号線と映像信号線との交差点近傍には、スイッチング素子であるＴＦＴ１４が形成される。ＴＦＴ１４はアレイ基板１０上にアレイ状に配列されている。ＴＦＴ１４は、映像信号線と同じ層で形成されたドレイン電極及びソース電極を備えている。ソース電極とドレイン電極とは、半導体層を介して接続されている。このＴＦＴ１４を介して、映像信号線と画素電極１６とが接続される。したがって、走査信号によってＴＦＴ１４をオン状態にすることによって、映像信号線から画素電極１６に表示信号が供給される。本実施の形態では、例えば、ボトムゲート型ＴＦＴ１４を用いることができる。
【００１６】
画素電極１６上には、液晶３０を配向させるための配向膜１９が積層されている。基板１１の外側には偏光板３１が貼着されている。また、アレイ基板１０上には、ＴＦＴ１４に供給する信号を外部から受け入れる端子３７を有している。
【００１７】
対向基板２０は、基板２１のアレイ基板１０と対向する面に、顔料あるいはクロム等の金属から成り光を遮光するブラックマトリクス（ＢＭ）２２が形成されている。そして、ブラックマトリクス２２に設けられた開口部を埋めるように顔料あるいは染料からなる着色層２３が形成されている。着色層２３は例えばＲ（赤）、Ｇ（緑）、Ｂ（青）のカラーフィルタである。さらにブラックマトリクス２２および着色層２３を覆うように、対向電極２４が対向基板２０の略全面に形成されている。対向電極２４は、アレイ基板１０の画素電極１６との間に電界を生じさせ、液晶３０を駆動する。また、対向基板２０の液晶３０と接する面には、液晶３０を配向させるための配向膜２９が積層されている。なお、基板２１の外側には偏光板３２が貼着されている。
【００１８】
アレイ基板１０と対向基板２０は、シール材３４を介して貼り合わされている。基板１１、２１としては、ガラス基板、石英ガラス等の透明な絶縁基板を用いることができる。シール材３４は、例えば光硬化性及び熱硬化性のアクリル系樹脂やエポキシ系樹脂、または紫外線硬化性の樹脂を用いることができる。また、本実施の形態に係る液晶表示装置は、駆動信号を発生させる制御基板３５、制御基板３５を端子３７に電気的に接続するＦＦＣ（Flexible Flat Cable）３６、光源となるバックライトユニット（不図示）等を備えている。
【００１９】
このような液晶表示装置では、制御基板３５から電気信号が入力されると、画素電極１６及び対向電極２４に駆動電圧が加わる。そして、駆動電圧に合わせて液晶３０の分子の方向が変化する。バックライトユニットの発する光がアレイ基板１０、液晶３０、及び対向基板２０を介して外部へ透過または遮断されることにより、液晶表示装置に映像等が表示される。すなわち、画素ごとに駆動電圧を変えることによって、所望の画像を表示することができる。なお、本明細書中では、走査信号線と映像信号線とによって規定される画素のうち、実際に表示に寄与可能な領域を有効表示領域と呼ぶこととする。従って、液晶表示装置では、明表示をしたときに、ブラックマトリクス２２等によって遮光されないでバックライトユニットの光が実際に外部へ透過される領域が有効表示領域となる。
【００２０】
液晶表示装置の動作モードは、ＴＮ（Twisted Nematic）モード、ＳＴＮ(Super Twisted Nematic)モード、ＶＡ（Vertical Alignment）モード、強誘電性液晶モード等を用いることができる。また、対向基板２０に設けた対向電極２４をアレイ基板１０側に配置し、画素電極１６との間で液晶３０に対して横方向に電界をかけるＩＰＳ（In-Plane Switching）モード、ＦＦＳ（Fringe Field Switching）モード等の横電界方式の液晶表示装置であってもよい。また、本発明は、透過型だけに限らず、反射型や、透過型と反射型の両用の半透過型の液晶表示装置にも適用できる。
【００２１】
次に、本実施の形態に係る表示領域の構成について、図２を用いて詳細に説明する。図２は、実施の形態１に係る液晶表示装置の表示エリア端部分の構成を模式的に示す上面図である。図２には、図１の上側から液晶表示装置を見たときの表示領域の端部が示されている。なお、説明の便宜上のため、図２では、全ての有効表示領域を明表示させた場合が記載されている。
【００２２】
本実施の形態に係る液晶表示装置には、円形や楕円形など非矩形状の表示領域（表示エリア）１が設けられている。そして、この非矩形状の表示領域１を囲むように、額縁領域２が設けられている。額縁領域２では、対向基板２０上に形成されたブラックマトリクス２２などによって光源からの光が遮光されている。図２では、楕円形の表示領域１の右上部分近傍の端部が示されている。従って、図２中、左下側に表示領域１、右上側に額縁領域２が示されている。すなわち、曲線状の表示エリア端３の内側に表示領域１、外側に額縁領域２がそれぞれ設けられている。
【００２３】
表示領域１には、複数の有効表示領域４がマトリクス状に配列されている。図２では、Ｒ、Ｇ、Ｂからなる有効表示領域４Ｒ、４Ｇ、４Ｂが設けられている。例えば、対向基板２０上に形成されたブラックマトリクス２２の開口部が有効表示領域４となる。よって、Ｒの着色層２３の設けられた開口部が有効表示領域４Ｒ、またＧの着色層２３の設けられた開口部が有効表示領域４Ｇ、そしてＢの着色層２３の設けられた開口部が有効表示領域４Ｂとなる。有効表示領域４Ｒ、４Ｇ、４Ｂはストライプ状に配列されている。従って、図２中、同じ色の有効表示領域４が縦方向に隣接して配置されている。そして、有効表示領域４の各色が図２中横方向に並んで配置される。異なる色の有効表示領域４Ｒ、４Ｇ、４Ｂは、図２中横方向に繰り返し配列されている。
【００２４】
これらの有効表示領域４Ｒ、４Ｇ、４Ｂによって、絵素５が構成される。すなわち、１つの絵素５には、有効表示領域４Ｒ、４Ｇ、４Ｂがそれぞれ１つずつ設けられている。このように、１組のＲＧＢの有効表示領域４からなる表示の基本単位が絵素５となる。従って、複数の絵素５が表示領域１にマトリクス配列されている。また、画素のうち実際に表示に寄与可能な領域が有効表示領域４であるので、有効表示領域４は画素内に配設される。ここでは、１つの画素に占める有効表示領域４の割合が、１つの絵素５において各色均等となるように設けられている。以下、１つの画素に占める有効表示領域４の割合を画素開口率と呼ぶ。すなわち、１つの絵素５に含まれるＲＧＢの有効表示領域４Ｒ、４Ｇ、４Ｂの画素開口率が均等となるように設けられている。
【００２５】
ここで、表示領域１の境界部分に位置する絵素５、すなわち表示エリア端３に隣接する絵素５について、図３〜図５を用いて詳細に説明する。図３は、実施の形態１に係る液晶表示装置の表示エリア端３に配置された通常絵素５ａを示す拡大図である。図４は、実施の形態１に係る液晶表示装置の表示エリア端３に配置された開口率調整絵素５ｂを示す拡大図である。また、図５は、実施の形態１に係る液晶表示装置の表示エリア端３に配置された非点灯絵素５ｃを示す拡大図である。
【００２６】
本実施の形態の表示領域１は非矩形状であるため、この表示領域１の境界部分に位置する絵素５では、その絵素５を構成する画素の一部が額縁領域２とオーバーラップしてしまうところがある。そこで、本実施の形態では、画素と額縁領域２がオーバーラップするレベルに応じて、表示領域１の境界部分に位置する絵素５に、通常絵素５ａ、開口率調整絵素５ｂ、非点灯絵素５ｃのいずれかが選択されている。
【００２７】
通常絵素５ａには、図２及び図３に示すように、表示領域１の境界部分以外に位置する絵素５に設けられた有効表示領域４と同じ形状の有効表示領域４ａが設けられている。すなわち、通常絵素５ａは、表示領域１の最外周以外の絵素５と同程度の画素開口率を有する。従って、１つの通常絵素５ａに含まれる各色の有効表示領域４ａＲ、４ａＧ、４ａＢの画素開口率は、表示領域１の境界部分以外に位置する絵素５に含まれる有効表示領域４Ｒ、４Ｇ、４Ｂと同様に均等となる。この通常絵素５ａは、表示領域１の境界部分に位置する絵素５のうち、その絵素５に属するいずれの画素も額縁領域２とオーバーラップされていない絵素に設けられている。
【００２８】
開口率調整絵素５ｂは、図２及び図４に示すように、表示領域１の境界部分以外に位置する絵素５に設けられた有効表示領域４より小さい有効表示領域４ｂが設けられている。すなわち、開口率調整絵素５ｂは、表示領域１の最外周以外の絵素５より低い画素開口率を有している。換言すると、表示領域１の境界部分以外に位置する絵素５の有効表示領域４の一部分が非点灯となったものが有効表示領域４ｂであると言える。図２及び図４では、この非点灯の部分が点線で記されている。なお、図２では、額縁領域２の非点灯部分については記載が省略されている。非点灯の部分は、例えば、対向基板２０上に形成されたブラックマトリクス２２などによって光源からの光が遮光される。１つの開口率調整絵素５ｂに含まれる各色の有効表示領域４ｂＲ、４ｂＧ、４ｂＢは、同じ形状に形成されている。従って、１つの絵素５ｂに含まれる各色の有効表示領域４ｂＲ、４ｂＧ、４ｂＢの画素開口率は、表示領域１の境界部分以外に位置する絵素５に含まれる有効表示領域４Ｒ、４Ｇ、４Ｂと同様に均等となる。これにより、開口率調整絵素５ｂの色バランスが崩れることを防止できる。
【００２９】
また、図４に示すように、有効表示領域４ｂは、中心線６を介して、各色の並ぶ第１方向（図中、横方向）と垂直であって同じ色の有効表示領域４が隣接して配置される第２方向（図中、縦方向）に対称となる形状に形成されている。なお、ここでいう中心線６とは、第１方向に対して平行な直線であって、有効表示領域４、４ａ、４ｂの重心を含む線を意味することとする。従って、有効表示領域４、４ａ、４ｂを同じ面積に分割する線が中心線６となる。１つの開口率調整絵素５ｂに含まれる各色の有効表示領域４ｂＲ、４ｂＧ、４ｂＢは、それぞれの中心線６が同じ位置にそろうように配置されている。そして、これら有効表示領域４ｂＲ、４ｂＧ、４ｂＢの中心線６は、各色の並ぶ横方向に隣接する絵素５を構成する有効表示領域４の中心線６の延長線上に配置される。これにより、横方向の直線表示をした場合に開口率調整絵素５ｂにおいて線が曲がることを防止できる。
【００３０】
一般的に、絵素サイズが人の認識可能な解像度に対してある程度細かい場合には、有効表示領域の形状に関わらず、有効表示領域の重心位置を中心とした光として認識される。このことから、横方向に配列された同列の有効表示領域４、４ａ、４ｂの中心線６を一直線上に揃えることで、表示上、概ね直線として認識される。さらに、有効表示領域４、４ａ、４ｂを中心線６に対して対称とすることで、更に直線としての視認性が向上する。この開口率調整絵素５ｂは、表示領域１の境界部分に位置する絵素５のうち、その絵素５に属する少なくともいずれかの画素が額縁領域２と重複し、かつ重複している部分が横方向に配列された同列の有効表示領域４、４ａ、４ｂの中心線６を超えていない絵素に設けられている。そのため、有効表示領域４ｂの形状は、１つの絵素５ｂに属する各色の有効表示領域４ｂＲ、４ｂＧ、４ｂＢのうち、最も額縁領域２とオーバーラップする色の有効表示領域４ｂを基準として設定されることが好ましい。
【００３１】
例えば、図４に示すようにＢの画素が最も額縁領域２と干渉する場合、Ｂの有効表示領域４ｂＢを、額縁領域２と重複する上側の辺が表示エリア端３の形状に沿った形状、反対の下側の辺が中心線６で上下対照となる形状に形成する。そして、ＲＧの有効表示領域４ｂＲ、４ｂＧの形状をＢの有効表示領域４ｂＢと同一にする。このようにして、例えば図４に示すように、左側の辺から右側の辺にかけて縦方向の寸法が小さくなる台形形状の有効表示領域４ｂを開口率調整絵素５ｂに設ける。すなわち、左側の辺、右側の辺の少なくとも片方の長さが表示領域１の境界部分以外に位置する絵素５に設けられた有効表示領域４よりも短い有効表示領域４ｂを形成する。有効表示領域４ｂの横幅は、表示領域１の境界部分以外に位置する絵素５に設けられた有効表示領域４と同一となる。
【００３２】
非点灯絵素５ｃには、図２及び図５に示すように、有効表示領域４が設けられていない。すなわち、非点灯絵素５ｃの画素開口率はゼロとなる。換言すると、表示領域１の境界部分以外に位置する絵素５の有効表示領域４の全部が非点灯となったものである。図２及び図５では、この非点灯の部分が点線で記されている。なお、図２では、額縁領域２の非点灯部分については記載が省略されている。非点灯の部分は、例えば、対向基板２０上に形成されたブラックマトリクス２２などによって光源からの光が遮光される。そのため、非点灯絵素５ｃではブラックマトリクス２２に画素開口部が形成されていない。よって、非点灯絵素５ｃは表示を行わない。この非点灯絵素５ｃは、表示領域１の境界部分に位置する絵素５のうち、その絵素５に属する少なくともいずれかの画素が横方向に配列された同列の有効表示領域４、４ａ、４ｂの中心線６を超えて額縁領域２に重複されている絵素に設けられている。これにより、非点灯絵素５ｃの色バランスが崩れることを防止できる。また、横方向の直線表示をした場合に非点灯絵素５ｃにおいて線が曲がることを防止できる。
【００３３】
このように、本実施の形態では、表示エリア端３に隣接する絵素５に、通常絵素５ａ、開口率調整絵素５ｂ、非点灯絵素５ｃのいずれかを設ける。すなわち、額縁領域２とオーバーラップする画素を有する絵素５は、各色の画素開口率が均等で中心線６が横方向に隣接する絵素５の中心線６と同じ位置にそろう開口率調整絵素５ｂ、又は表示の行われない非点灯絵素５ｃとなる。よって、表示領域１の境界部分に位置する絵素５の各色の有効表示領域４のそれぞれは、１つの絵素５において開口率が同じで、かつ中心線６が横方向に隣接する絵素５に設けられた有効表示領域４の中心線６の延長線上に位置するように形成される。具体的には、対向基板２０のブラックマトリクス２２に形成された開口部の大きさが調整されている。これにより、表示エリア端にある絵素は表示エリア内の絵素と色バランスが均一になる。また、横方向に配列された絵素５の中心線６が一直線となる。よって、表示エリア端の絵素の色バランスが崩れて色づきが生じることを防止することができる。また、横方向の直線表示をした際に表示エリア端で線が曲がることを防止できる。従って、円形または楕円形などの非矩形状の表示領域を有する表示装置において、実際に表示がなされる事実上の表示領域の外形端を滑らかに維持しながら、表示品位を向上できる。
【００３４】
その他の実施の形態.
なお、有効表示領域４ｂの形状は、上記の表示エリア端３の形状に沿った形状に限るものではなく、その他様々な形状を採用することが可能である。図６は、その他の実施の形態に係る液晶表示装置の表示エリア端部分の構成を模式的に示す上面図である。図６には、図１の上側から液晶表示装置を見たときの表示領域の端部が示されている。説明の便宜上のため、図６では、全ての有効表示領域を明表示させた場合が記載されている。図６に示すように、例えば有効表示領域４ｂの形状を矩形状としてもよい。この場合も図２の場合と同様に、１つの絵素５ｂに含まれる各色の有効表示領域４ｂＲ、４ｂＧ、４ｂＢを、同じ形状に形成する。そして、１つの絵素５ｂに含まれる各色の有効表示領域４ｂＲ、４ｂＧ、４ｂＢの中心線６が、横方向に配列する絵素５の中心線６と同じ位置にそろって一直線となるように配置する。これにより、より簡便に設計することができる。
【００３５】
また、上記説明では、有効表示領域４ｂの画素開口率を各色均等となるように形成したが、これに限定されるものではない。例えば、絵素５に含まれる各色の有効表示領域４の画素開口率があらかじめ所定の比率をもつように設計されている場合は、この比率を開口率調整絵素５ｂにも適用する。この場合も、横方向に配列する絵素５の中心線６が一直線となるよう、各色の有効表示領域４ｂＲ、４ｂＧ、４ｂＢの形状や位置などを適宜調整する必要がある。
【００３６】
なお、開口率調整絵素５ｂや非点灯絵素５ｃの非点灯の部分を対向基板２０上に形成されたブラックマトリクス２２によって遮光する場合について例示的に説明したが、これに限るものではない。アレイ基板１０を構成する層によって非点灯の部分を遮光してもよい。あるいは、アレイ基板１０に形成される画素電極１６の形状を変更することにより、非点灯の部分を形成してもよい。すなわち、画素電極１６自体を有効表示領域４の形に設計してもよい。これにより、画素電極１６の配設されない部分を非点灯とすることができる。
【００３７】
また、ＲＧＢからなる画素の配列は、ストライプ配列、モザイク（ダイアゴナル）配列、デルタ（トライアングル）配列から適宜選択可能である。なお、本実施の形態に係る表示装置は液晶表示装置を例として説明したが、本発明はこれに限られるものではない。例えば、有機ＥＬや電子ペーパーなどの、液晶以外の表示材料を用いた表示装置であってもよい。
【００３８】
なお、本明細書中において、表示領域の形状は、全ての有効表示領域を明表示した場合において、観察者により明表示される領域として認識される領域の形状とする。例えば一般的な矩形の液晶パネルの場合には、アレイ状に配置される画素における最外周に配置される画素の有効表示領域の外側の線を含む矩形形状に一致し、円形や楕円の場合には、全ての有効表示領域を囲い、最外周に配置される画素の有効表示領域の外側の線を滑らかに外挿した曲線に概ね一致する。また、上記説明の様に、表示領域の形状が曲線により構成される場合には、境界領域における画素の有効表示領域の形状によって、観察者により認識される形状は若干の幅を持つことから、本明細書中で表示領域が円形あるいは楕円であると記載した場合にも、正確な円形や楕円形状のみではなく、若干の歪みを持ったものを含むものとする。
【００３９】
また、本実施の形態においては、表示領域について、円形または楕円形のものを用いて説明を行ったが、本願の効果は、表示領域が矩形の画素により完全に埋めることが出来ない形状である場合については同様の効果が得られることから、これらの形状に限定されず、非矩形の形状において、特に曲線により囲まれる形状のもの、多角形（５角形以上）のものなど、外形が垂直な２方向以外の接線方向を持つ線により囲まれる形状であれば良く、本実施の形態と同様の効果が得られる。
【００４０】
以上の説明は、本発明の実施の形態を説明するものであり、本発明が以上の実施の形態に限定されるものではない。また、当業者であれば、以上の実施の形態の各要素を、本発明の範囲において、容易に変更、追加、変換することが可能である。
【図面の簡単な説明】
【００４１】
【図１】実施の形態１に係る液晶表示装置の断面図である。
【図２】実施の形態１に係る液晶表示装置の表示エリア端部分の構成を模式的に示す上面図である。
【図３】実施の形態１に係る液晶表示装置の表示エリア端に配置された通常絵素を示す拡大図である。
【図４】実施の形態１に係る液晶表示装置の表示エリア端に配置された開口率調整絵素を示す拡大図である。
【図５】実施の形態１に係る液晶表示装置の表示エリア端に配置された非点灯絵素を示す拡大図である。
【図６】その他の実施の形態に係る液晶表示装置の表示エリア端部分の構成を模式的に示す上面図である。
【図７】従来技術１に係る液晶表示装置の表示エリア端部分の構成を模式的に示す上面図である。
【図８】従来技術２に係る液晶表示装置の表示エリア端部分の構成を模式的に示す上面図である。
【符号の説明】
【００４２】
１  表示領域、２  額縁領域、３  表示エリア端、
４、４Ｒ、４Ｇ、４Ｂ  有効表示領域、
４ａ、４ａＲ、４ａＧ、４ａＢ  有効表示領域、
４ｂ、４ｂＲ、４ｂＧ、４ｂＢ  有効表示領域、
５  絵素、５ａ  通常絵素、５ｂ  開口率調整絵素、
５ｃ  非点灯絵素、６  中心線、
１０  アレイ基板、１１  基板、１４  ＴＦＴ、
１５  絶縁膜、１６  画素電極、１９  配向膜、
２０  対向基板、２１  基板、２２  ブラックマトリクス、
２３  着色層、２４  対向電極、２９  配向膜、
３０  液晶、３１、３２  偏光板、３４  シール材、
３５  制御基板、３６  ＦＦＣ、３７  端子
【図１】
0005112961.tif 000002
【図２】
0005112961.tif 000003
【図３】
0005112961.tif 000004
【図４】
0005112961.tif 000005
【図５】
0005112961.tif 000006
【図６】
0005112961.tif 000007
【図７】
0005112961.tif 000008
【図８】
0005112961.tif 000009